(57)【要約】【課題】  例えば衣服などに対して安定的に取り付けることができ、また種々の用途に対応することができる装飾具を提供すること。【解決手段】  装飾に用いられる装飾具本体４と、装飾具本体４が取り付けられる取付枠体６と、取付枠体６に取り付けられる取付用ピン８と、を備え、取付枠体６は相互に上下方向に接続された第１及び第２枠部１４，１６を有し、第１枠部１４の上横部１８に取付用ピン８が取り付けられ、また第１及び第２枠部１４，１６を接続する中間接続横部２２に装飾具本体４が取り付けられる。これにより、取付枠体６と例えば衣服などとの間には装着面が形成され、装飾具２を衣服などに対して安定的に取り付けることができ、また種々の用途にも対応することができる。【選択図】  図１
2006314765.tif 000002
【特許請求の範囲】
【請求項１】
装飾に用いられる装飾具本体と、前記装飾具本体が取り付けられる取付枠体と、前記取付枠体に取り付けられる取付用ピンと、を備え、前記取付枠体の上部にピン取付部が設けられ、前記ピン取付部に前記取付用ピンが取り付けられることを特徴とする装飾具。
【請求項２】
前記取付枠体は少なくとも第１枠部を有し、前記第１枠部の上横部に前記取付用ピンが取り付けられ、前記第１枠部の下部に前記装飾具本体が取り付けられることを特徴とする請求項１に記載の装飾具。
【請求項３】
前記取付枠体は少なくとも相互に上下方向に接続された第１及び第２枠部を有し、前記第１枠部の上横部に前記取付用ピンが取り付けられ、前記第１及び第２枠部を接続する中間接続横部に前記装飾具本体が取り付けられることを特徴とする請求項１に記載の装飾具。
【請求項４】
前記取付枠体は第１及び第２枠部を有し、前記第１枠部は矩形状に形成され、前記第１及び第２枠部は相互に上下方向に一体的に接続されており、上側の前記第１枠部の上横部に前記取付用ピンが回動可能に取り付けられ、前記第１及び第２枠部を接続する中間接続横部に前記装飾具本体が取り付けられることを特徴とする請求項１に記載の装飾具。
【請求項５】
前記装飾具本体の装飾性を高めるための副装飾具を含み、前記副装飾具は、前記装飾具本体を装飾するための副装飾具本体と、前記副装飾具本体が取り付けられる支持フレームと、を備え、前記支持フレームが前記取付枠体に着脱自在に取り付けられることを特徴とする請求項１〜４のいずれかに記載の装飾具。
【請求項６】
前記支持フレームは直線状、曲線状、リング状又は枠体状のフレーム本体を有し、前記フレーム本体に懸架部を有する懸架アーム部が設けられ、前記フレーム本体に前記副装飾具本体が取り付けられ、前記懸架アーム部の前記懸架部が前記取付枠体に着脱自在に懸架されることを特徴とする請求項５に記載の装飾具。
【請求項７】
前記支持フレームはリング状部を有するフレーム本体を有し、前記フレーム本体に懸架部を有する懸架アーム部が設けられ、前記リング状部に前記副装飾具本体が取り付けられ、前記懸架アーム部の前記懸架部が前記取付枠体に着脱自在に懸架されることを特徴とする請求項５に記載の装飾具。
【請求項８】
前記取付枠体は、ワイヤ状部材を連結することによって、又はプレート状部材に開口を設けることによって枠体状に形成されていることを特徴とする請求項１〜７のいずれかに記載の装飾具。
【請求項９】
装飾用の装飾具本体が取り付けられる取付枠体を備え、前記取付枠体の上部にピン取付部が設けられていることを特徴とする装飾具用取付具。
【請求項１０】
前記取付枠体は少なくとも相互に上下方向に接続された第１及び第２枠部を有し、前記第１枠部の上横部に取付用ピンが取り付けられ、前記第１及び第２枠部を接続する中間接続横部に前記装飾具本体が取り付けられることを特徴とする請求項９に記載の装飾具用取付具。
【請求項１１】
前記装飾具本体の装飾性を高めるための副装飾具本体が取り付けられる支持フレームを含み、前記支持フレームが前記取付枠体に着脱自在に取り付けられることを特徴とする請求項９又は１０に記載の装飾具用取付具。
【請求項１２】
前記支持フレームは直線状、曲線状、リング状又は枠体状のフレーム本体を有し、前記フレーム本体に懸架部を有する懸架アーム部が設けられ、前記フレーム本体に前記副装飾具本体が取り付けられ、前記懸架アーム部の前記懸架部が前記取付枠体に着脱自在に懸架されることを特徴とする請求項１１に記載の装飾具用取付具。
【発明の詳細な説明】
【技術分野】
【０００１】
本発明は、例えば衣服などを装飾するための装飾具及びこの装飾具に用いられる装飾具用取付具に関する。
【背景技術】
【０００２】
従来より、例えばドレスや着物などの衣服などを装飾するための装飾具が広く利用に供されている。この装飾具は、例えば生花や造花などの装飾具本体と、装飾具本体の裏面側に取り付けられた取付用ピンと、を備えており、この取付用ピンを例えば衣服に止めることにより、装飾具が例えば衣服の胸元や襟などに対して着脱自在に取り付けられる。
【０００３】
【特許文献１】実用新案登録第３０４３３１１号公報
【発明の開示】
【発明が解決しようとする課題】
【０００４】
しかしながら、上述のような従来の装飾具では、次のような問題がある。第１に、装飾具本体は取付用ピンを介して例えば衣服などに吊り下げられるようになるので、装飾具本体の大きさ又は重量が比較的大きい場合には、装飾具本体がその自重によって左右方向にぐらついたり下方向に傾くなどしてしまい、装飾具を衣服などに対して安定的に取り付けることができないという問題が生じる。第２に、例えば衣服や他のアクセサリなどの種類などに応じたコーディネートをするためには、複数種類の装飾具を個々に用意する必要があり、装飾具に要する費用が増大してしまうという問題が生じる。第３に、装飾具を例えば首飾り、ブレスレット又は髪飾りなどとして用いる場合には、取付用ピンが取り付けられた装飾具とは別に、装飾具本体に取付用紐やヘアピンなどが取り付けられた装飾具を用意する必要があるため、種々の用途に対応することができる装飾具の実現が強く望まれている。
【０００５】
本発明の第１の目的は、例えば衣服などに対して安定的に取り付けることができる装飾具を提供することである。
また、本発明の第２の目的は、装飾具本体の装飾性を容易に変更することができ、例えば衣服や他のアクセサリなどに応じたコーディネートを容易に行うことができる装飾具を提供することである。
【０００６】
また、本発明の第３の目的は、種々の用途に対応することができる装飾具を提供することである。
また、本発明の第４の目的は、装飾具本体を例えば衣服などに対して安定的に取り付けることができる装飾具用取付具を提供することである。
【課題を解決するための手段】
【０００７】
本発明の請求項１に記載の装飾具では、装飾に用いられる装飾具本体と、前記装飾具本体が取り付けられる取付枠体と、前記取付枠体に取り付けられる取付用ピンと、を備え、前記取付枠体の上部にピン取付部が設けられ、前記ピン取付部に前記取付用ピンが取り付けられることを特徴とする。
【０００８】
また、本発明の請求項２に記載の装飾具では、前記取付枠体は少なくとも第１枠部を有し、前記第１枠部の上横部に前記取付用ピンが取り付けられ、前記第１枠部の下部に前記装飾具本体が取り付けられることを特徴とする。
【０００９】
さらに、本発明の請求項３に記載の装飾具では、前記取付枠体は少なくとも相互に上下方向に接続された第１及び第２枠部を有し、前記第１枠部の上横部に前記取付用ピンが取り付けられ、前記第１及び第２枠部を接続する中間接続横部に前記装飾具本体が取り付けられることを特徴とする。
【００１０】
また、本発明の請求項４に記載の装飾具では、前記取付枠体は第１及び第２枠部を有し、前記第１枠部は矩形状に形成され、前記第１及び第２枠部は相互に上下方向に一体的に接続されており、上側の前記第１枠部の上横部に前記取付用ピンが回動可能に取り付けられ、前記第１及び第２枠部を接続する中間接続横部に前記装飾具本体が取り付けられることを特徴とする。
【００１１】
さらに、本発明の請求項５に記載の装飾具では、前記装飾具本体の装飾性を高めるための副装飾具を含み、前記副装飾具は、前記装飾具本体を装飾するための副装飾具本体と、前記副装飾具本体が取り付けられる支持フレームと、を備え、前記支持フレームが前記取付枠体に着脱自在に取り付けられることを特徴とする。
【００１２】
また、本発明の請求項６に記載の装飾具では、前記支持フレームは直線状、曲線状、リング状又は枠体状のフレーム本体を有し、前記フレーム本体に懸架部を有する懸架アーム部が設けられ、前記フレーム本体に前記副装飾具本体が取り付けられ、前記懸架アーム部の前記懸架部が前記取付枠体に着脱自在に懸架されることを特徴とする。
【００１３】
さらに、本発明の請求項７に記載の装飾具では、前記支持フレームはリング状部を有するフレーム本体を有し、前記フレーム本体に懸架部を有する懸架アーム部が設けられ、前記リング状部に前記副装飾具本体が取り付けられ、前記懸架アーム部の前記懸架部が前記取付枠体に着脱自在に懸架されることを特徴とする。
【００１４】
また、本発明の請求項８に記載の装飾具では、前記取付枠体は、ワイヤ状部材を連結することによって、又はプレート状部材に開口を設けることによって枠体状に形成されていることを特徴とする。
【００１５】
さらに、本発明の請求項９に記載の装飾具用取付具では、装飾用の装飾具本体が取り付けられる取付枠体を備え、前記取付枠体の上部にピン取付部が設けられていることを特徴とする。
【００１６】
また、本発明の請求項１０に記載の装飾具用取付具では、前記取付枠体は少なくとも相互に上下方向に接続された第１及び第２枠部を有し、前記第１枠部の上横部に取付用ピンが取り付けられ、前記第１及び第２枠部を接続する中間接続横部に前記装飾具本体が取り付けられることを特徴とする。
【００１７】
さらに、本発明の請求項１１に記載の装飾具用取付具では、前記装飾具本体の装飾性を高めるための副装飾具本体が取り付けられる支持フレームを含み、前記支持フレームが前記取付枠体に着脱自在に取り付けられることを特徴とする。
【００１８】
また、本発明の請求項１２に記載の装飾具用取付具では、前記支持フレームは直線状、曲線状、リング状又は枠体状のフレーム本体を有し、前記フレーム本体に懸架部を有する懸架アーム部が設けられ、前記フレーム本体に前記副装飾具本体が取り付けられ、前記懸架アーム部の前記懸架部が前記取付枠体に着脱自在に懸架されることを特徴とする。
【発明の効果】
【００１９】
本発明の請求項１に記載の装飾具によれば、装飾具本体が取り付けられる取付枠体を備え、取付枠体の上部に設けられたピン取付部に取付用ピンが取り付けられるので、取付用ピンを例えば衣服などに止めると、取付枠体と衣服などとの間には装着面が形成されるようになり、取付枠体はこの装着面によって衣服などに安定的に支持されるようになる。このように取付枠体が安定的に支持されることにより、取付枠体に取り付けられた装飾具本体が左右方向にぐらついたり下方向に傾いたりすることがなく、装飾具を衣服などに対して安定的に取り付けることができ、装飾具により衣服などを装飾する際の高い装飾性を維持することが可能となる。また、ピン取付部が取付枠体の上部に設けられているので、取付用ピンを例えば衣服に止めた状態では、取付枠体が取付用ピンから安定的に吊り下がった状態となり、より安定的に取り付けることができる。したがって、従来のように取付用ピンのみでは安定的に取り付けることのできない例えば左右非対称形状を有する装飾具本体などであっても、安定的に取り付けることができる。また、例えば取付用紐やヘアピンなどを取付枠体に取り付け、取付用紐などを例えば人体の首や手首などに巻き付けたり、あるいはヘアピンなどを人体の髪に止めることにより、装飾具を例えば首飾り、ブレスレット又は髪飾りなどとして用いることができ、種々の用途に対応することができる装飾具を提供することが可能となる。
【００２０】
また、本発明の請求項２に記載の装飾具によれば、第１枠部の上横部に取付用ピンが取り付けられ、また第１枠部の下部に装飾具本体が取り付けられるので、第１枠部は、第１枠部と例えば衣服などとの間に形成される装着面によって衣服などに安定的に支持されるようになり、これにより、装飾具を衣服などに対して安定的に取り付けることが可能となる。
【００２１】
さらに、本発明の請求項３に記載の装飾具によれば、第１枠部の上横部に取付用ピンが取り付けられ、第１及び第２枠部を接続する中間接続横部に装飾具本体が取り付けられるので、第１及び第２枠部は、第１及び第２枠部と例えば衣服などとの間に形成された装着面によって衣服などにより安定的に支持されるようになり、これにより、装飾具を衣服などに対してより安定的に取り付けることが可能となる。また、装飾具本体が中間接続横部に取り付けられるので、この装飾具本体を取付枠体に安定的に取り付けることができる。
【００２２】
また、本発明の請求項４に記載の装飾具によれば、第１枠部は矩形状に形成されるので、取付用ピンを第１枠部の上横部に安定的に取り付けることが可能となる。また、第１枠部の上横部に取付用ピンが回動可能に取り付けられているので、上述したように装飾具を例えば首飾り、ブレスレット又は髪飾りなどとして用いる場合には、取付用ピンを人体とは反対側（すなわち、装飾具本体側）に向けて回動させることにより、装飾具を人体に対して直接取り付ける際の安全性を確保することができる。
【００２３】
さらに、本発明の請求項５に記載の装飾具によれば、装飾具本体の装飾性を高めるための副装飾具を含み、副装飾具の支持フレームが取付枠体に着脱自在に取り付けられるので、装飾具本体の装飾性を容易に高めることができ、これにより、例えば衣服や他のアクセサリなどの種類などに応じたコーディネートを容易に行うことが可能となる。
【００２４】
また、本発明の請求項６に記載の装飾具によれば、支持フレームは直線状、曲線状、リング状又は枠体状のフレーム本体を有し、このフレーム本体に副装飾具本体が取り付けられるので、副装飾具本体の配置などを種々に変更することができ、これにより、装飾具本体の装飾性を種々に変更することができる。
【００２５】
さらに、本発明の請求項７に記載の装飾具によれば、支持フレームはリング状部を有するフレーム本体を有しているので、このフレーム本体のリング状部に例えば装飾用チェーンなどの副装飾具本体を容易に取り付けることができ、装飾具本体の装飾性を種々に変更することができる。
【００２６】
また、本発明の請求項８に記載の装飾具によれば、取付枠体は、ワイヤ状部材を連結することによって、又はプレート状部材に開口を設けることによって枠体状に形成されているので、比較的簡単な構成でもって取付枠体を枠体状に形成することができる。
【００２７】
さらに、本発明の請求項９に記載の装飾具用取付具によれば、取付枠体の上部にピン取付部が設けられているので、ピン取付部に取り付けた取付用ピンを例えば衣服などに止めると、取付枠体と例えば衣服などとの間には装着面が形成されるようになり、取付枠体はこの装着面によって衣服などに安定的に支持されるようになる。
【００２８】
また、本発明の請求項１０に記載の装飾具用取付具によれば、第１枠部の上横部に取付用ピンが取り付けられ、第１及び第２枠部を接続する中間接続横部に装飾具本体が取り付けられるので、第１及び第２枠部は、第１及び第２枠部と例えば衣服などとの間に形成される装着面によって衣服などに安定的に支持されるようになり、これにより、装飾具本体を衣服などに対して安定的に取り付けることが可能となる。
【００２９】
さらに、本発明の請求項１１に記載の装飾具用取付具によれば、副装飾具本体が取り付けられる支持フレームを含み、支持フレームが取付枠体に着脱自在に取り付けられるので、装飾具本体の装飾性を容易に高めることができ、例えば衣服や他のアクセサリなどの種類などに応じたコーディネートを容易に行うことが可能となる。
【００３０】
また、本発明の請求項１２に記載の装飾具用取付具によれば、支持フレームは直線状、曲線状、リング状又は枠体状のフレーム本体を有し、このフレーム本体に副装飾具本体が取り付けられるので、副装飾具本体の配置などを種々に変更することができ、これにより、装飾具本体の装飾性を種々に変更することができる。また、フレーム本体に懸架部を有する懸架アーム部が設けられ、懸架アーム部の懸架部が取付枠体に着脱自在に懸架されるので、副装飾具の支持フレームを取付枠体に対して容易に取り付け又は取り外すことが可能となる。
【発明を実施するための最良の形態】
【００３１】
以下、添付図面を参照して、本発明に従う装飾具及び装飾具用取付具の各種実施形態について説明する。
第１の実施形態
まず、図１〜図７を参照して、第１の実施形態の装飾具について説明する。図１は、本発明の第１の実施形態による装飾具を示す斜視図であり、図２は、図１の装飾具用取付具を示す斜視図であり、図３は、図１の装飾具本体の取付枠体への取付方法を説明するために装飾具本体の一部を切り欠いて示す概略斜視図であり、図４は、図１の装飾具を衣服に取り付けた状態を示す図であり、図５は、図１の取付枠体に装飾用紐を結びつけた状態を示す概略斜視図であり、図６は、図１の取付枠体に取付用紐を巻き付けた状態を示す概略斜視図であり、図７は、図１の取付枠体にヘアピンを取り付けた状態を示す概略斜視図である。なお、図５〜図７において、装飾具本体の図示は省略してある。
【００３２】
図１〜図４を参照して、図示の装飾具２は、装飾に用いられる装飾具本体４と、装飾具本体４が取り付けられる取付枠体６と、取付枠体６に取り付けられる取付用ピン８と、を備えており、本実施形態では装飾具２はコサージュから構成されている。以下、装飾具２の各構成要素について詳細に説明する。
【００３３】
装飾具本体４は、例えば生花や造花などから構成され、花芯部１０と、花芯部１０の周囲に配設された複数の花弁部１２と、を有している（図３参照）。
取付枠体６は、相互に上下方向（図１において上下方向）に接続された矩形状の第１枠部１４及び第２枠部１６を有しており、例えば複数のワイヤ状部材を連結することによって、あるいはプレート状部材に複数の開口を設けることによって枠体状（本実施形態では、日の字状）に形成されている。取付枠体６の上部となる第１枠部１４の上横部１８には横方向（図１において左右方向）に延びるピン取付部２０として機能し、このピン取付部２０には取付用ピン８が後述するようにして取り付けられる。第１枠部１４及び第２枠部１６を相互に接続する中間接続横部２２には、装飾具本体４が次のようにして取り付けられる。まず、装飾具本体４の花芯部１０に通した固定用ワイヤ２４の両端部を装飾具本体４の裏面側（図１において紙面に対して手前側、図４において右側）よりそれぞれ引き出し、この引き出された固定用ワイヤ２４の両端部をそれぞれ取付枠体６の中間接続横部２２に巻き付けることにより（図３参照）、装飾具本体４が取付枠体６の中間接続横部２２に取り付けられる。このように装飾具本体４を取付枠体６に取り付けた後に、例えば紙テープや布テープなどの保護部材２６を取付枠体６の表面に巻き付け、これにより取付枠体６の表面が保護部材２６により覆われる（図１参照）。
【００３４】
取付用ピン８は、例えば安全ピンなどの留め針から構成され、略Ｕ字状に構成されたピン本体部２８と、ピン本体部２８の一端部３０に設けられた係止部３２と、を有している。ピン本体部２８は、その両端部が互いに離隔する方向に弾性的に偏倚されており、ピン本体部２８の他端部３４（針部）は、ピン本体部２８の有する弾性復元力に抗して係止部３２に着脱自在に係止される。ピン本体部２８の一端部３０は、例えば紙テープや布テープなどの保護部材３６により覆われており、第１枠部１４の上横部１８及びピン本体部２８の一端部３０の外周部に一対の装着リング３８が装着されることにより、取付用ピン８が取付枠体６のピン取付部２０に回動可能に取り付けられる。このように取付枠体６に取付用ピン８が回動可能に取り付けられることにより、装飾具用取付具４０が構成される。取付用ピン８は、ピン本体部２８の他端部３４が人体側（図４において右側）に配設される使用位置（図４において実線で示す）と、ピン本体部２８の他端部３４が装飾具本体４側（図４において左側）に配設される不使用位置（図４において点線で示す）との間を自在に回動される。なお、取付用ピン８の係止部３２には、係止部３２に係止されたピン本体部２８の他端部３４が、係止部３２から離脱されないようにするための安全機構（図示せず）を設けるようにすることが好ましい。また、取付枠体６及びピン取付部２８の一端部３０をそれぞれ覆う保護部材３６は省略するようにしてもよい。
【００３５】
次に、上述のようにして構成した装飾具２の使用方法について説明する。装飾具２を例えばドレスや着物などの衣服４２に取り付ける場合には、取付用ピン８を図４中の矢印Ｐで示す方向に回動させて使用位置（又は、使用位置と不使用位置との間）に位置付けておき、係止部３２から離脱させたピン本体部２８の他端部３４を衣服４２に止めた後に、ピン本体部２８の他端部３４を係止部３２に再び係止させる。このように取付用ピン８を衣服４２に止めると、取付枠体６の片面（すなわち、装飾具本体４が取り付けられる面とは反対側の面）（図１において紙面に対して手前側の面、図４において右側の面）と衣服４２との間には装着面４４が形成され、取付枠体６は、この装着面４４により衣服４２などに安定的に支持されるようになる。これにより、装飾具本体４は、その自重により左右方向にぐらついたり下方向に傾くなどすることがなく、これにより装飾具２は衣服４２に対して安定的に取り付けられるようになり、装飾具２により衣服４２を装飾する際の高い装飾性を維持することが可能となる。
【００３６】
また、図５に示すように、取付枠体６の下部（すなわち、第２枠部１６の下横部４６）に例えば装飾用紐４８を結び付けることにより、装飾具本体４の装飾性を高めることができ、これにより、衣服４２や他のアクセサリ（図示せず）などの種類に応じたコーディネートを容易に行うことが可能となる。この装飾用紐４８は、例えば取付枠体６の上部１８、中間接続横部２２、左縦部５０又は右縦部５２などに結び付けるようにしてもよく、あるいは、この装飾用紐４８に代えて装飾用リボンなどを用いるようにしてもよい。装飾用紐４８を例えば装飾用組紐などから構成したときには、装飾具２を例えば着物などの和装に対応させることができ、また装飾用紐４８を例えば装飾用リボンなどから構成したときには、装飾具２を例えばドレスなどの洋装に対応させることができ、このように装飾用紐４８の種類を適宜変更することにより、装飾具２を和装及び洋装のいずれにも適宜対応させることができる。
【００３７】
本実施形態による装飾具２は、上述のように衣服４２に取り付けるのみでなく、例えば次のようにして首飾り、ブレスレット、帯留め又は髪飾りとして用いることができる。装飾具２を首飾り又はブレスレットとして用いる場合には、取付用ピン８を図４中の矢印Ｑで示す方向に回動させて不使用位置に位置付けておき、取付用紐５４を取付枠体６の中間接続横部２２に巻き付け、その両端部を取付枠体６の外部に引き出し（図６参照）、この引き出された取付用紐５４を人体の首や手首（図示せず）に巻き付ける。これにより、装飾具２が人体の首や手首に取り付けられ、装飾具２を首飾りやブレスレットとして用いることができる。取付用ピン８は不使用位置に位置付けられているので、装飾具２を人体に直接取り付けた際の安全性が確保される。なお、このように装飾具２を人体に直接取り付ける際には、取付用ピン８の係止部３２に設けた安全機構（図示せず）により、係止部３２に係止されたピン本体部２８の他端部３４が係止部３２から離脱されないようにしておくのが好ましく、これによって、より高い安全性を確保することができる。
【００３８】
装飾具２を着物の帯留めとして用いる場合には、上述した取付用紐５４に代えて着物の帯締め（図示せず）を取付枠体６の中間接続横部２２に巻き付け、その両端部を取付枠体６の外部に引き出し、この引き出された帯締めを着物の帯に巻き付けるようにすればよく、これにより、装飾具２により着物の帯を装飾することができる。あるいは、上述したように取付枠体６の中間接続横部２２に巻き付けた取付用紐５４の両端部を例えば着物の帯締めや帯揚げ、あるいは帯結び部などに結び付けるようにしてもよい。
【００３９】
また、装飾具２を髪飾りとして用いる場合には、上述したのと同様に取付用ピン８を不使用位置に位置付けておき、取付枠体６の４つの角部にＵ字状のヘアピン５６をそれぞれ差し込み（図７参照）、この複数（本実施形態では、４個）のヘアピン５６をそれぞれ人体の髪（図示せず）に止めるようにすればよい。このように装飾具２が複数のヘアピン５６を介して人体の頭部（図示せず）に支持されるので、装飾具２を人体の頭部に対して安定的に取り付けることができる。この場合においても、取付用ピン８の係止部３２に設けた安全機構により、係止部３２に係止されたピン本体部２８の他端部３４が係止部３２から離脱されないようにしておくのが好ましい。なお、例えば社交ダンスなどのように激しい運動を行う場合には、人体の頭部に取り付けた装飾具２が頭部から脱落してしまわないようにヘアピン５６を例えば略Ｓ字状に折り曲げることがあるが、このようにヘアピン５６を複数回折り曲げることによってヘアピン５６が破損した場合であっても、ヘアピン５６のみを交換すればよく、従来のようにヘアピンと装飾具本体とが一体となった装飾具のように装飾具自体を交換する必要がないので、経済性に優れた装飾具２を提供することができる。
【００４０】
以上のように、本実施形態による装飾具２は、衣服４２に取り付けるだけでなく、種々の用途に対応することができ、さらに次のような用途にも用いることができる。例えば、上述したように取付枠体６の中間接続横部２２に巻き付けた取付用紐５４の両端部を例えばハンドバッグなどの小物など（図示せず）に結び付けるようにしてもよく、これによって、装飾具２によりハンドバッグなどの小物などを装飾することができる。したがって、例えば、パーティ会場において装飾具２をドレスなどに取り付ける際に、パーティ会場に向かう途中又はパーティ会場から帰宅する際には装飾具２をドレスから取り外しておくことが多いが、このような場合には、上述したようにして装飾具２を例えばハンドバッグなどの小物などに取り付けることにより、装飾具２を容易に持ち運ぶことができ、利便性及び携帯性に優れた装飾具２を提供することが可能となる。
【００４１】
なお、本実施形態では、装飾具２の取付枠体６は、第１及び第２枠部１４，１６を有するように構成したが、これに限られず、例えば第１枠部１４のみを有するようにしてもよく、あるいは、第１及び第２枠部１４，１６に加えて第３枠部を有するように構成してもよく、少なくとも第１枠部１４を有する構成であれば、取付枠体６を適宜のものに構成することができる。取付枠体６を第１枠部１４のみから構成した場合には、第１枠部１４の上横部に取付用ピン８を取り付け、また第１枠部１４の下部（すなわち、下横部、左縦部又は右縦部）に装飾具本体４を取り付けるようにすればよく、あるいは、第１枠部の上横部に装飾具本体４を取り付けるようにしてもよく、その取付部位は適宜設定してよい。
【００４２】
第２の実施形態
次に、図８を参照して、第２の実施形態の装飾具について説明する。図８は、本発明の第２の実施形態による装飾具を示す概略斜視図である。図８では、装飾具本体の図示は省略してある。なお、以下の実施形態において、第１の実施形態と実質上同一の構成要素には同一の符号を付し、その説明を省略する。
【００４３】
図８において、第２の実施形態の装飾具２Ａでは、取付枠体６Ａは、矩形状の第１枠部１４と逆三角状の第２枠部１６Ａとを有している。その他の構成は、上記第１の実施形態と同様である。このように構成した場合であっても、装飾具２Ａを衣服など（図示せず）に取り付けた際に、取付枠体６Ａの片面と衣服などとの間には装着面（図示せず）が形成され、取付枠体６Ａは、この装着面によって衣服などに対して安定的に支持されるので、上記第１の実施形態と同様の作用効果が達成される。
【００４４】
第３の実施形態
次に、図９を参照して、第３の実施形態の装飾具について説明する。図９は、本発明の第３の実施形態による装飾具を示す概略斜視図である。
【００４５】
図９を参照して、第３の実施形態の装飾具２Ｂでは、装飾具本体４の装飾性を高めるための副装飾具５８が設けられている。この副装飾具５８は、装飾具本体４を装飾するための副装飾具本体６０と、副装飾具本体６０が取り付けられる支持フレーム６２と、を備えている。支持フレーム６２は直線状のフレーム本体６４を有しており、フレーム本体６４の両端部にはそれぞれ、フック状の懸架部６６を有する懸架アーム部６８が設けられており、この一対の懸架アーム部６８は、フレーム本体６４の両端部よりフレーム本体６４に対して垂直方向にそれぞれ延びている。副装飾具本体６０は、例えば造花、羽根及び装飾用チェーンなどから構成され、フレーム本体６４の幅方向中央部には、羽根及び装飾用チェーンから構成される副装飾具本体６０ａが取り付けられ、またフレーム本体６４の一端部（図９において右側の端部）には、造花から構成される副装飾具本体６０ｂが取り付けられている。このように副装飾具本体６０が取り付けられたフレーム本体６４及び一対の懸架アーム部６８の表面はそれぞれ、例えば紙テープや布テープなどの保護部材７０により覆われている。
【００４６】
一対の懸架アーム部６８の各懸架部６６はそれぞれ、取付枠体６の片面側より取付枠体６の下部となる第２枠部１６の下横部４６の両端部に着脱自在に懸架され、これにより、支持フレーム６２が取付枠体６の下部に着脱自在に取り付けられ、副装飾具本体６０は、装飾具本体４の下方に配設されるようになる。このように副装飾具５８を設けることにより、装飾具本体４の装飾性を容易に高めることができ、例えば衣服や他のアクセサリなど（図示せず）の種類などに応じたコーディネートを容易に行うことが可能となる。
【００４７】
なお、本実施形態では、副装飾具本体６０（６０ａ，６０ｂ）を造花、羽根及び装飾用チェーンから構成したが、これに限られず、適宜の部材から構成することができ、このように副装飾具本体６０（６０ａ，６０ｂ）の種類を適宜変更することにより、例えば衣服や他のアクセサリなどに応じたコーディネートを容易に行うことができる。また、装飾具２Ｂの使用者の年齢に応じて副装飾具５８を取付枠体６に対して適宜着脱することができ、これにより幅広い年齢層の使用者に対応することができる装飾具２Ｂを提供することができる。この点については、以下に示す各実施形態においても同様である。
【００４８】
第４の実施形態
次に、図１０を参照して、第４の実施形態の装飾具について説明する。図１０は、本発明の第４の実施形態による装飾具を示す概略斜視図である。
【００４９】
図１０において、第４の実施形態の装飾具２Ｃには、第３の実施形態と同様に、装飾具本体４の装飾性を高めるための副装飾具５８Ｃが設けられている。副装飾具５８Ｃの支持フレーム６２Ｃは、円弧状（曲線状）のフレーム本体６４Ｃを有しており、フレーム本体６４Ｃの両端部にはそれぞれ懸架部６６を有する懸架アーム部６８が設けられ、この一対の懸架アーム部６８は、フレーム本体６４Ｃの両端部よりフレーム本体６４Ｃの径方向内方に向かってそれぞれ延びている。副装飾具本体６０Ｃは、複数のパールがワイヤによって連結された装飾用連結パールから構成され、フレーム本体６４Ｃに所定の間隔を置いて取り付けられている。
【００５０】
第３の実施形態と同様に、一対の懸架アーム部６８の各懸架部６６をそれぞれ取付枠体６の下部となる第２枠部１６の下横部４６の両端部に着脱自在に懸架することにより、支持フレーム６２Ｃが取付枠体６の下部に着脱自在に取り付けられる。したがって、上記第３の実施形態と同様の作用効果が達成されるとともに、フレーム本体６４Ｃは円弧状に構成されているので、副装飾具本体６０Ｃは装飾具本体４の周方向に配設されるようになり、装飾具本体４をより大きく見せることができるという作用効果が達成される。
【００５１】
なお、本実施形態では、一対の懸架アーム部６８の各懸架部６６をそれぞれ第２枠部１６の下横部４６に懸架するようにしたが、これに限られず、例えば、一方の懸架アーム部６８の懸架部６６を第１枠部１４の上横部１８の一端部（図１０において右側の端部）に懸架し、また他方の懸架アーム部６８の懸架部６６を第２枠部１６の下横部４６の他端部（図１０において左側の端部）に懸架するようにしてもよく、副装飾具５８Ｃの支持フレーム６２Ｃは取付枠体６の適宜の部位に取り付けることができ、これにより装飾具本体４の装飾性を適宜変更することができる。
【００５２】
また、支持フレーム６２Ｃ（６２）のフレーム本体６４Ｃ（６４）は、上記第３の実施形態では直線状に構成し、また本実施形態では曲線状に構成したが、これに限られず、例えばリング状、枠体状、波形状又は鋸歯状に構成するようにしてもよく、その形状は適宜設定することができる。
【００５３】
第５の実施形態
次に、図１１を参照して、第５の実施形態の装飾具について説明する。図１１は、本発明の第５の実施形態による装飾具を示す概略斜視図である。
【００５４】
図１１において、第５の実施形態の装飾具２Ｄでは、上記第３及び第４の実施形態と同様に、装飾具本体４の装飾性を高めるための副装飾具５８Ｄが複数（本実施形態では、２個）設けられている。副装飾具５８Ｄの支持フレーム６２Ｄは、リング状部７２を有するフレーム本体６４Ｄを有しており、このフレーム本体６４Ｄには、懸架部６６を有する懸架アーム部６８が設けられている。副装飾具本体６０Ｄは、装飾用チェーンから構成されており、フレーム本体６４Ｄのリング状部７２に取り付けられている。
【００５５】
上記第３及び第４の実施形態と同様に、懸架アーム部６８の懸架部６６を例えば取付枠体６の中間接続横部２２及び下横部４６にそれぞれ着脱自在に懸架することにより、支持フレーム６２Ｄが取付枠体６の中間接続横部２２及び下横部４６にそれぞれ着脱自在に取り付けられる。このように、副装飾具５８Ｄの支持フレーム６２Ｄを取付枠体６の上部１８、中間接続横部２２又は下横部４６のいずれかに選択的に取り付けることにより、装飾具本体４の下部より吊り下げられる副装飾具本体６０Ｄの長さを変化させることができるので、装飾具本体４の装飾性を容易に変更することができる。なお、本実施形態では、副装飾具５８Ｄを２個設けるようにしたが、例えば１個でも３個以上でもよく、その数は適宜設定することができる。
【００５６】
第６の実施形態
次に、図１２を参照して、第６の実施形態の装飾具について説明する。図１２は、本発明の第６の実施形態による装飾具を示す概略斜視図である。
【００５７】
図１２において、第６の実施形態の装飾具２Ｅでは、上記第３〜第５の実施形態と同様に、装飾具本体４の装飾性を高めるための副装飾具５８Ｅが設けられている。副装飾具５８Ｅの支持フレーム６２Ｅは、一対の挟持部７４を有する例えば鰐口クリップなどから構成され、一対の挟持部７４は、例えばねじりバネ（図示せず）などによってそれらの各一端部が互いに近接する方向に弾性的に偏倚されている。副装飾具本体６０Ｅは、羽根とビニルワイヤに取り付けられたパールとから構成され、支持フレーム６２Ｅの一方の挟持部７４の他端部に例えば接着剤により取り付けられている。
【００５８】
また、本実施形態では、第１枠部１４Ｅ及び第２枠部１６Ｅの各々の左右方向中間部にはそれぞれ上下方向に延びる中間縦部７３ａ，７３ｂが設けられており、これにより取付枠体６Ｅは田の字状に構成される。装飾具本体４は、中間接続横部２２と中間縦部７３ａ，７３ｂとの交差部に取り付けられている。
【００５９】
一対の挟持部７４の各一端部を例えば取付枠体６Ｅの中間接続横部２２の一端部に着脱自在に挟持させることにより、副装飾具５８Ｅの支持フレーム６２Ｅが取付枠体６の中間接続横部２２の一端部に着脱自在に取り付けられる。副装飾具５８Ｅの支持フレーム６２Ｅは、取付枠体６Ｅの適宜の部位に取り付けるようにしてよく、これにより、例えば衣服（図示せず）の左胸部又は右胸部のいずれへの取り付けにも対応することができる装飾具２Ｅを提供することが可能となる。また、例えばチェーンベルト（図示せず）などを取付枠体６Ｅの左縦部５０と中間縦部７３ａ（７３ｂ）との間に規定される空間、及び右縦部５２と中間縦部７３ａ（７３ｂ）との間に規定される空間にそれぞれ通し、外部に引き出したチェーンベルトなどを例えば人体の腰部などに巻き付けることができ、これにより装飾具本体４の向きを保持させながら、チェーンベルトなどを取付枠体６Ｅに安定して取り付けることができる。
【００６０】
第７の実施形態
次に、図１３を参照して、第７の実施形態の装飾具について説明する。図１３は、本発明の第７の実施形態による装飾具を示す概略斜視図である。
【００６１】
図１３において、第７の実施形態の装飾具２Ｆでは、上記第３〜第６の実施形態と同様に、装飾具本体４の装飾性を高めるための副装飾具５８Ｆが設けられている。この副装飾具５８Ｆの支持フレーム６２Ｆは、日の字状に構成された枠体状のフレーム本体６４Ｆを有している。このフレーム本体６４Ｆの上部７６における両端部にはそれぞれ、懸架部６６を有する懸架アーム部６８が設けられ、この一対の懸架アーム部６８は、フレーム本体６４Ｆの上部７６における両端部より上方（図１６において上方向）に向かってそれぞれ延びている。フレーム本体６４Ｆの下部７８には、取付用ピン８と同様に構成された取付用ピン８０が回動可能に取り付けられ、またその中間接続横部８２には、上記第１〜第６の実施形態と同様にして、例えば生花や造花などから構成される副装飾具本体６０Ｆが取り付けられている。また、フレーム本体６４Ｆの表面には、例えば紙テープや布テープなどの保護部材７０により覆われている。
【００６２】
一対の懸架アーム部６８の各懸架部６６をそれぞれ取付枠体６の下横部４６（又は、取付枠体６の中間接続横部２２）に着脱自在に懸架することにより、副装飾具５８Ｆのフレーム本体６４Ｆが取付枠体６の下横部４６に着脱自在に取り付けられ、装飾具本体４を構成する一輪の花と副装飾具本体６０Ｆを構成する一輪の花とが上下方向に隣接して配設されるようになる。
【００６３】
なお、副装飾具本体６０Ｆのフレーム本体６４Ｆを取付枠体６から取り外し、副装飾具本体６０Ｆの取付用ピン８０を衣服など（図示せず）に止めることにより、この副装飾具本体６０Ｆを衣服などを装飾するための装飾具として用いることができる。また、図示しないが、装飾具２Ｆの取付枠体６の下横部４６の両端部にそれぞれ、懸架部を有する懸架アーム部を設けるようにしてもよく、この場合には例えば、副装飾具５８Ｆの一対の懸架アーム部６８の各懸架部６６を取付枠体６の下横部４６にそれぞれ懸架させる。また、本実施形態では、副装飾具５８Ｆの支持フレーム６２Ｆに取付用ピン８０を設けるように構成したが、この取付用ピン８０を省略するようにしてもよい。
【００６４】
第８の実施形態
次に、図１４及び図１５を参照して、第８の実施形態の装飾具について説明する。図１４は、本発明の第８の実施形態による装飾具を示す概略斜視図であり、図１５は、図１４のＡ−Ａ’線による装飾具の概略断面図である。なお、図１４において、装飾具本体の図示は省略してある。
【００６５】
図１４及び図１５において、第８の実施形態の装飾具２Ｇでは、取付枠体６Ｇは、相互に上下方向に接続された矩形状の第１及び第２枠部１４Ｇ，１６Ｇを有しており、取付枠体６Ｇの他面側（すなわち、装飾具本体４が取り付けられる側）において、中間接続横部２２Ｇの幅方向中央部には円形状の取付用プレート部８４が設けられている。この取付用プレート部８４の片面（図１４において紙面に対して手前側の面、図１５において左側の面）は凹面状に構成されており、この取付用プレート部８４の片面には、装飾具本体４の裏面側が例えば接着剤により取り付けられ（図１５参照）、これにより装飾具本体４が取付枠体６Ｇの中間接続横部２２Ｇに取り付けられる。したがって、例えば一般に市販されている装飾具本体を装飾具用取付具４０Ｇに対して容易に取り付けることができ、これにより、種々の装飾具本体に対応することができる装飾具用取付具４０Ｇを提供することが可能となる。
【００６６】
なお、取付枠体６Ｇと取付用プレート部８４とを一体に構成するようにしてもよく、あるいはこれらを別体に構成するようにしてもよい。また、本実施形態では、取付用プレート部８４の片面を凹面状に構成したが、例えばこれを平面状に構成するようにしてもよい。
【００６７】
第９の実施形態
次に、図１６及び図１７を参照して、第９の実施形態の装飾具について説明する。図１６は、本発明の第９の実施形態による装飾具を示す概略斜視図であり、図１７は、図１６のＢ−Ｂ’線による装飾具の概略断面図である。なお、図１６において、装飾具本体の図示は省略してある。
【００６８】
図１６及び図１７において、第９の実施形態の装飾具２Ｈでは、取付枠体６Ｈは、プレート状部材の上側部、下側部、左側部及び右側部にそれぞれ矩形状の開口８６を有する枠体状に構成され、その他面側（すなわち、装飾具本体４が取り付けられる側）における中央部には、円形状の取付用凹部８８が設けられている。この取付用凹部８８には、装飾具本体４の裏面側が例えば接着剤により取り付けられ（図１７参照）、これにより装飾具本体４が取付枠体６Ｈの他面側における中央部に取り付けられ、上記第８の実施形態と同様の作用効果が達成される。
【００６９】
第１０の実施形態
次に、図１８を参照して、第１０の実施形態の装飾具について説明する。図１８は、本実施形態の第１０の実施形態による装飾具を示す概略斜視図である。
【００７０】
図１８において、第１０の実施形態の装飾具２Ｉでは、取付枠体６Ｉは、径方向外方に突出された２つの角部９０を有する第１枠部１４Ｉと、径方向外方に突出された３つの角部９２を有する第２枠部１６Ｉとを有しており、これら第１及び第２枠部１４Ｉ，１６Ｉは相互に上下方向（図１８において上下方向）に接続され、これにより取付枠体６Ｉは星形状に構成される。取付用ピン８のピン本体部２８の一端部３０は、第１枠部１４Ｉの２つの角部９０（すなわち、取付枠体６Ｉの上部）にそれぞれ装着リング３８により回動可能に取り付けられている。また、取付枠体６Ｉの中間接続横部２２Ｉには装飾具本体４が取り付けられており、取付枠体６Ｉの表面は、例えば紙テープや布テープなどの保護部材２６により覆われている。
【００７１】
本実施形態による装飾具２Ｉでは、取付枠体６Ｉが星形に構成されているが、装飾具ピン８を例えば衣服など（図示せず）に止めると、取付枠体６Ｉと衣服などとの間には装着面（図示せず）が形成され、取付枠体６Ｉは、この装着面により衣服などに対して安定的に支持されるようになるので、上記第１〜第９の実施形態と同様の作用効果が達成される。
【００７２】
以上、本発明に従う種々の装飾具及び装飾具用取付具の実施形態について説明したが、本発明はかかる実施形態に限定されるものではなく、本発明の範囲を逸脱することなく種々の変形乃至修正が可能である。
【００７３】
例えば、上記各実施形態では、装飾具２（２Ａ，２Ｂ，２Ｃ，２Ｄ，２Ｅ，２Ｆ，２Ｇ，２Ｈ，２Ｉ）は、装飾具本体４を生花や造花などから構成したコサージュから構成するようにしたが、これに限れず、装飾具本体４を例えばレース生地などで蝶の形状をあしらったものなどから構成してもよく、装飾具本体４は適宜の部材から構成することができる。
【００７４】
また例えば、取付枠体の形状は、例えば図１９〜図２６に示すように、適宜設定することができる。また例えば、上記各実施形態では、取付用ピン８を一対の装着リング３８により取付枠体６（６Ａ，６Ｅ，６Ｇ，６Ｈ，６Ｉ）に対して回動可能に取り付けたが、取付用ピン８を取付枠体６（６Ａ，６Ｅ，６Ｇ，６Ｈ，６Ｉ）に対して固定的に（すなわち、回動できないように）取り付けるようにしてもよい。
【図面の簡単な説明】
【００７５】
【図１】本発明の第１の実施形態による装飾具を示す斜視図である。
【図２】図１の装飾具用取付具を示す斜視図である。
【図３】図１の装飾具本体の取付枠体への取付方法を説明するために、装飾具本体の一部を切り欠いて示す概略斜視図である。
【図４】図１の装飾具を衣服に取り付けた状態を示す図である。
【図５】図１の取付枠体に装飾用紐を結びつけた状態を示す概略斜視図である。
【図６】図１の取付枠体に取付用紐を巻き付けた状態を示す概略斜視図である。
【図７】図１の取付枠体にヘアピンを取り付けた状態を示す概略斜視図である。
【図８】本発明の第２の実施形態による装飾具を示す概略斜視図である。
【図９】本発明の第３の実施形態による装飾具を示す概略斜視図である。
【図１０】本発明の第４の実施形態による装飾具を示す概略斜視図である。
【図１１】本発明の第５の実施形態による装飾具を示す概略斜視図である。
【図１２】本発明の第６の実施形態による装飾具を示す概略斜視図である。
【図１３】本発明の第７の実施形態による装飾具を示す概略斜視図である。
【図１４】本発明の第８の実施形態による装飾具を示す概略斜視図である。
【図１５】図１４のＡ−Ａ’線による装飾具の概略断面図である。
【図１６】本発明の第９の実施形態による装飾具を示す概略斜視図である。
【図１７】図１６のＢ−Ｂ’線による装飾具の概略断面図である。
【図１８】本実施形態の第１０の実施形態による装飾具を示す概略斜視図である。
【図１９】取付枠体の第１の変形形態を示す図である。
【図２０】取付枠体の第２の変形形態を示す図である。
【図２１】取付枠体の第３の変形形態を示す図である。
【図２２】取付枠体の第４の変形形態を示す図である。
【図２３】取付枠体の第５の変形形態を示す図である。
【図２４】取付枠体の第６の変形形態を示す図である。
【図２５】取付枠体の第７の変形形態を示す図である。
【図２６】取付枠体の第８の変形形態を示す図である。
【符号の説明】
【００７６】
２，２Ａ〜２Ｉ  装飾具
４  装着具本体
６，６Ａ，６Ｅ，６Ｇ，６Ｈ，６Ｉ  取付枠体
８  取付用ピン
１４，１４Ｅ，１４Ｇ，１４Ｉ〜１４Ｒ  第１枠部
１６，１６Ａ，１６Ｅ，１６Ｇ，１６Ｉ，１６Ｑ，１６Ｒ  第２枠部
２０  ピン取付部
４０，４０Ａ〜４０Ｉ  装飾具用取付具
５８，５８Ｃ，５８Ｄ，５８Ｅ，５８Ｆ  副装飾具
６０，６０Ｃ，６０Ｄ，６０Ｅ，６０Ｆ  副装飾具本体
６２，６２Ｃ，６２Ｄ，６２Ｅ，６２Ｆ  支持フレーム
６４，６４Ｃ，６４Ｄ，６４Ｅ  支持フレーム
６６  懸架部
６８  懸架アーム部
７２  リング状部
【図１】
2006314765.tif 000003
【図２】
2006314765.tif 000004
【図３】
2006314765.tif 000005
【図４】
2006314765.tif 000006
【図５】
2006314765.tif 000007
【図６】
2006314765.tif 000008
【図７】
2006314765.tif 000009
【図８】
2006314765.tif 000010
【図９】
2006314765.tif 000011
【図１０】
2006314765.tif 000012
【図１１】
2006314765.tif 000013
【図１２】
2006314765.tif 000014
【図１３】
2006314765.tif 000015
【図１４】
2006314765.tif 000016
【図１５】
2006314765.tif 000017
【図１６】
2006314765.tif 000018
【図１７】
2006314765.tif 000019
【図１８】
2006314765.tif 000020
【図１９】
2006314765.tif 000021
【図２０】
2006314765.tif 000022
【図２１】
2006314765.tif 000023
【図２２】
2006314765.tif 000024
【図２３】
2006314765.tif 000025
【図２４】
2006314765.tif 000026
【図２５】
2006314765.tif 000027
【図２６】
2006314765.tif 000028